(57)【要約】【課題】  無線ＬＡＮで接続する複数のプロジェクタを連携動作するように設定する設定方法を専門知識の無いユーザーでも容易に設定可能なユーザーインタフェースで実現する。【解決手段】  予め設定した複数のＳＳＩＤ情報をそれぞれ視覚的なマークに関連付けてメモリに記録しておき、プロジェクタの電源立ち上げ時に、使用可能なＳＳＩＤを自動的に検索し、使用可能なＳＳＩＤを視覚的なマークを使用して表示し、マークの違いでユーザーにグループ分けを選択させる。【選択図】        図７
2006285139.tif 000002
【特許請求の範囲】
【請求項１】
任意の識別情報に基づいて通信相手を特定および郡分けし、前記識別情報で特定した通信相手から情報を受信し、前記識別情報で郡分けした通信相手に情報を送信する通信手段と、
受信した情報に従って表示画像を生成する画像生成手段と、
通信相手を予め郡分けした複数の識別情報と、前記郡分けに関連づけて情報および視覚情報と、を記憶しておく記憶手段と、
前記視覚情報に従って表示情報を生成する表示情報生成手段と、
前記表示情報に従って任意の郡を選択する選択手段と、
前記画像生成手段と前記表示情報生成手段のいずれかを切り換えて表示画像を出力する表示手段と、
を備えた画像表示装置であって、
前記表示画像の通信に先立って、前記通信相手からの情報に従って識別した各郡の情報を視覚情報に基づいた表示情報で前記表示手段から出力することを特徴とする画像表示装置。
【請求項２】
請求項１に記載の画像表示装置であって、
前記通信手段は無線通信手段であることを特徴とする画像表示装置。
【請求項３】
請求項２に記載の画像表示装置であって、
前記郡分けは通信周波数帯域を複数の周波数帯域に分割する郡分け方式であることを特徴とする画像表示装置。
【請求項４】
請求項２に記載の画像表示装置であって、
前記無線通信手段はＩＥＥＥ８０２．１１ａおよびＩＥＥＥ８０２．１１ｂおよびＩＥＥＥ８０２．１１ｇに準拠の無線通信方式であって、通信する周波数の占有帯域が重複しないように予め郡分けすることを特徴とする画像表示装置。
【請求項５】
請求項１に記載の画像表示装置であって、
前記表示情報を、通信可能な郡と通信不可能な郡とに視覚的に区別して表示することを特徴とする画像表示装置。
【請求項６】
請求項５に記載の画像表示装置であって、
前記通信可能な郡を第一の選択候補として表示することを特徴とする画像表示装置。
【請求項７】
請求項１に記載の画像表示装置であって、
前記選択手段で選択した郡に基づいて前記視覚情報を前記表示画像の通信に先立って前記表示手段から出力することを特徴とする画像表示装置。
【発明の詳細な説明】
【技術分野】
【０００１】
本発明は、複数のプロジェクタもしくはディスプレイ装置を連携して表示させるときの設定手段に係る画像表示装置に関する。
【背景技術】
【０００２】
近年、無線ＬＡＮ技術の進歩は目覚しいものがあり、無線ＬＡＮ装置の小型化によりさまざまな機器に無線ＬＡＮによる通信機能が搭載され利用されるようになってきた。そして従来ＶＧＡケーブルでＰＣと接続していたプロジェクタ等も、無線ＬＡＮ機能を搭載して、ＰＣとプロジェクタ間を無線で接続することが可能になった。
【０００３】
このような無線通信機能を備えたプロジェクタ等の表示装置の場合、１台の端末から１台の表示装置に表示画層を送信する手法はいくつか提案されてきた。たとえば特許文献１のように、表示画像の送信に先立って、通信可能なプロジェクタのＭＡＣアドレスを表示して選択すると、プロジェクタの表示画面に通信開始を示す視覚情報が表示され、その視覚情報にもとづいて操作者が端末側からの表示画像の送信を開始している。
【０００４】
また、端末から複数のプロジェクタに送信する形態も実現されはじめている。たとえば、複数のプロジェクタをコンピューターに登録してコンピューターから同じ映像を各プロジェクタに送信することができる。このような従来機器では、各プロジェクタのＩＰアドレスの設定をパソコン側の設定ソフトを使用してあらかじめ個別に設定しておく必要がある。
【特許文献１】特開２００４−６２４７７号公報
【発明の開示】
【発明が解決しようとする課題】
【０００５】
しかしながらこのような従来のプロジェクタでは、複数のプロジェクタに同じ画面を出力するためには、ＰＣ端末側でグループ化するプロジェクタを指定するために、専用プログラムをＰＣにインストールし、さらにＭＡＣアドレスやＳＳＩＤといったパラメータを操作者が手作業でプロジェクタとＰＣに設定する必要があった。しかしこれらのパラメータが難解な用語が多く、設定には専門的な知識が必要であり、一般のユーザーには困難な作業となっている恐れがあった。
【０００６】
本発明は、以上の点に着目して成されたもので、ＭＡＣアドレスやＳＳＩＤといった煩雑な設定をすることなく、一般のユーザーでも表示装置のグループ化を容易に設定することが可能になる画像表示装置を提供することを目的とする。
【課題を解決するための手段】
【０００７】
このような煩雑な設定作業を容易にするために、本発明による画像表示装置は、任意の識別情報に基づいて通信相手を特定および郡分けし、前記識別情報で特定した通信相手から情報を受信し、前記識別情報で郡分けした通信相手に情報を送信する通信手段と、受信した情報に従って表示画像を生成する画像生成手段と、通信相手を予め郡分けした複数の識別情報と、前記郡分けに関連づけて情報および視覚情報と、を記憶しておく記憶手段と、前記視覚情報に従って表示情報を生成する表示情報生成手段と、前記表示情報に従って任意の郡を選択する選択手段と、前記画像生成手段と前記表示情報生成手段のいずれかを切り換えて表示画像を出力する表示手段と、を備え、前記表示画像の通信に先立って、前記通信相手からの情報に従って識別した各郡の情報を視覚情報に基づいた表示情報で前記表示手段から出力する。
【発明の効果】
【０００８】
本発明によれば、ＭＡＣアドレスやＳＳＩＤといった煩雑な設定をすることなく、一般のユーザーでも表示装置のグループ化を容易に設定することが可能になる。
【発明を実施するための最良の形態】
【０００９】
以下本発明を実施するための最良の形態を、実施例により詳しく説明する。
【実施例】
【００１０】
（第１の実施形態）
図１は本発明による無線ＬＡＮプロジェクタの構成を示した図である。
【００１１】
図１において、１０１はＩＥＥＥ８０２．１１ｂ規格の無線ＬＡＮ機能を備えた通信部、１０２は通信部が受信した表示画面のデータを投影可能なデータ形式に変換する画面データ処理部、１０３は本プロジェクタの全体動作を制御する制御部、１０４は収集のパラメータを記憶しておく不揮発性のメモリ、１０５は制御部１０３からの制御に従って投影画面に表示する文字や記号を生成する文字記号生成部、１０６は画面データ処理部１０２からのデータがと文字記号生成部１０５からのデータを切り換えて出力する切換部、１０７は切換部１０６から出力されたデータを外部のスクリーンに投影する投影部、１０８は本プロジェクタにユーザーが設定値等を設定するための操作部、である。
【００１２】
通信部１０１は無線ＬＡＮの規格であるＩＥＥＥ８０２．１１ｂに従った通信機能を提供する通信部で、端末局（ＳＴＡ）モードと親局（ＡＰ）モードの両方式に対応する。
【００１３】
画面データ処理部１０２は、通信相手の装置からＪＰＥＧ圧縮されて無線ＬＡＮ経由で送られてきた表示画面のデータを、ＪＰＥＧ伸張し、さらに投影部１０７に入力するデータ形式に変換する。
【００１４】
メモリ１０４は不揮発性のメモリで、制御部１０３からデータの読み出しと書き込みができるように接続してある。またさらに本メモリ１０４には、工場出荷時にあらかじめ書き込んだ後述のＳＳＩＤパラメータが記憶させてある。
【００１５】
文字記号生成部１０５は、制御部１０４からの制御に従って任意の文字と記号を表示画面形式に構成して表示画面のデータを生成する。
【００１６】
切換部１０６は、画面データ処理部１０２からデータが出力されている時は、画面データ処理部１０２からのデータを投影部１０７に転送し、画面データ処理部１０２からデータが出力されていない時は、文字記号生成部１０５からのデータを投影部１０７に転送し、画面データ処理部１０２と文字記号生成部１０５のどちらからもデータが出力されていないときには全画面ブルーの画面を生成して投影部１０７に転送する。
【００１７】
投影部は、図示していない透過型液晶パネルとランプとレンズで構成されていて、切換部１０６から転送されてきたデータで構成される画面を図示していない外部のスクリーンに投影する。
【００１８】
メモリ１０４には、予め工場出荷時に４つのＳＳＩＤとＳＳＩＤに関連づけたグループリストのデータテーブルが書き込まれている。
【００１９】
図２にこのデータテーブルの構成を示す。
【００２０】
ＳＳＩＤ  ２０１の項目には、「Ｃａｎｏｎ＿Ｄｉｓｐｌａｙ＿Ｓｐａｄｅ」、「Ｃａｎｏｎ＿Ｄｉｓｐｌａｙ＿Ｈｅａｒｔ」「Ｃａｎｏｎ＿Ｄｉｓｐｌａｙ＿Ｄｉａ」、「Ｃａｎｏｎ＿Ｄｉｓｐｌａｙ＿Ｃｌｏｖｅｒ」、の４つのテキストコードが予め書き込まれていて変更できないようにしてある。
【００２１】
ＳＳＩＤを４つに分類したのはＩＥＥＥ８０２．１１ｂで使用可能な周波数帯域で干渉無く同時に使用できるチャンネルが４チャンネルであるためである。この周波数帯域の詳細な説明は後述する。
【００２２】
また視覚情報（２０２）の項目として各ＳＳＩＤに対応する、スペードマーク、ハートマーク、ダイヤマーク、クローバーマーク、の各ビットマップデータが書き込まれていて、このデータも変更できないようにしてある。
【００２３】
また、各ＳＳＩＤに対応した無線セルのサーチ結果を格納するＳｃａｎ（２０３）の項目があり、後述のＳＳＩＤ検出（Ｓ１）を実行した結果に従って、該当無線チャンネルに何も応答が無ければｎｏｎｅ（値＝０）にし、該当無線チャンネルの該当ＳＳＩＤにプローブ応答があれば「ｈｉｔ」（値＝１）を設定し、該当無線チャンネルを他のＳＳＩＤが使用していたらｕｓｅｄ（２）を設定する。つまり、該当するＳＳＩＤのＡＰが存在するときには「ｈｉｔ」が設定される。
【００２４】
そして、各ＳＳＩＤに対応した無線周波数の使用チャンネルを格納するｃｈ（２０４）の項目があり、ＩＥＥＥ８０２．１１ｂの無線周波数チャンネルに対応したチャンネル番号をセットする。このｃｈ（２０４）の値は工場出荷時はそれぞれ、１ｃｈ、６ｃｈ、１１ｃｈ、１４ｃｈ、をデフルトとして設定してあり、電源立ち上げは常にこのデフォルトのチャンネルに設定され、電源立ち上げ後のユーザーの操作によって一時的に変更することが可能になっている。
【００２５】
ここで、ＩＥＥＥ８０２．１１ｂ規格に従った無線ＬＡＮのセル構成について図３を用いて説明する。
【００２６】
３０１〜３０６のプロジェクタＴａ〜Ｔｅ，Ｔｎはそれぞれ本発明によるプロジェクタである。
【００２７】
プロジェクタＴｂ  ３０１はＳＳＩＤが「Ｃａｎｏｎ＿Ｄｉｓｐｌａｙ＿Ｈｅａｒｔ」でインフラモードの無線セルを構成するＡＰとして動作している。この無線セル３１１内にはＳＴＡとしてプロジェクタＴａ  ３０２とプロジェクタＴｃ  ３０３をアソシエーションしている。
【００２８】
プロジェクタＴｂ  ３０２から表示画面のデータがブロードキャストされると、アソシエーションしているプロジェクタＴａ  ３０１とプロジェクタＴｃ  ３０３が表示画面データを受信して投影表示する。
【００２９】
プロジェクタＴｅ  ３０４はＳＳＩＤが「Ｃａｎｏｎ＿Ｄｉｓｐｌａｙ＿Ｃｌｏｖｅｒ」でインフラモードの無線セルを構成するＡＰとして動作している。この無線セル３１２内にはＳＴＡとしてプロジェクタＴｄ  ３０５をアソシエーションしている。
【００３０】
プロジェクタＴｅ  ３０４から表示画面のデータがブロードキャストされると、アソシエーションしているプロジェクタＴｄ  ３０５が表示画面データを受信して投影表示する。
【００３１】
この上記２つの無線セルのどちらにも含まれる位置に、新たにプロジェクタＴｎ  ３０６を設置すると、このプロジェクタＴｎ  ３０６からはプロジェクタＴｂ  ３０２とプロジェクタＴｅ  ３０４の両方のＳＳＩＤのセルに接続可能になっている。
【００３２】
またここで、ＩＥＥＥ８０２．１１ｂの無線周波数チャンネルについて図６を用いて説明する。
【００３３】
ＩＥＥＥ８０２．１１ｂでは、使用可能な無線周波数チャンネルとしてｃｈ１〜ｃｈ１４が定義されている。このうちｃｈ１〜ｃｈ１３は２．４１２ＧＨｚから５ＭＨｚ感覚で図６に示すごとくは位置されていて、ｃｈ１４のみ２．４８３５ＧＨｚに設定されている。
【００３４】
また、１つの無線チャンネルで使用する帯域は２０ＭＨｚとなっているので、使用可能な周波数帯域で干渉無く無線チャンネルを使用するためには、ｃｈ１〜ｃｈ１３のチャンネルでは、使用するｃｈを５ｃｈ間隔にする必要がある。つまり、ｃｈ１−ｃｈ６−ｃｈ１１の組み合わせか、ｃｈ２−ｃｈ６−ｃｈ１２の組み合わせか、ｃｈ３−ｃｈ８−ｃｈ１３の組み合わせか、ｃｈ４−ｃｈ９の組み合わせかｃｈ５−ｃｈ１０の組み合わせのいずれかに設定する。ただし、チャンネルの空きが少ない場合には、干渉による通信レートの減衰を許容することで５ｃｈ以下に隣接したｃｈを使用することも可能である。また、ｃｈ１４については周波数が離れているので隣接チャンネルからの干渉は考慮しなくてよい。
【００３５】
したがって、本実施例では、各ＳＳＩＤに対応した使用チャンネルのデフォルト値を、スペードは１ｃｈ、ハートは６ｃｈ、ダイヤは１１ｃｈ、クローバは１４ｃｈとする。
【００３６】
上述の図３のような状況において、プロジェクタＴｎ  ３０６を既存のいずれかの無線セルにアソシエーションするか、もしくは新たな無線セルのＡＰとして設定するかの処理を、図４のフローチャートを用いて説明する。
【００３７】
まずプロジェクタの電源をＯＮにすると、本発明によるプロジェクタは、図２に示した、予め設定してある４つのＳＳＩＤに対してプローブリクエストを送信してプローブ応答が帰ってくるかを検査し、使用中のＳＳＩＤを検出する（Ｓ１）。
【００３８】
本実施例では、処理Ｓ１によるＳＳＤＩの検出でｃｈ６で「Ｃａｎｏｎ＿Ｄｉｓｐｌａｙ＿Ｈｅａｒｔ」ＳＳＩＤのプローブ応答が検出され、ｃｈ１４で「Ｃａｎｏｎ＿Ｄｉｓｐｌａｙ＿Ｃｌｏｖｅｒ」のＳＳＩＤのプローブ応答が検出され、ｃｈ１１で他のＳＳＩＤのＡＰが検出された、として説明する。
【００３９】
プローブ応答が検出されたＳＳＩＤについて、図２に示すパラメータテーブルのＳｃａｎの項目（２０３）に値１をセットし、使用中のチャンネルには値２をセットして、グループリストを更新（Ｓ２）する。なお、Ｓｃａｎで使用中のｕｓｅｄ（２）をセットしたＳＳＩＤは以下の選択操作では選択できなくする。
【００４０】
続いて、４つのＳＳＩＤのうち、ｈｉｔしているＳＳＩＤがあるかどうかを判定（Ｓ３）し、ｈｉｔしているＳＳＩＤがあるなら、グループリストのなかで一番上にあるｈｉｔしたＳＳＩＤを選択状態（Ｓ４）にし、いずれもｈｉｔしていないならグループリストの一番上のスペードを選択状態とする。
【００４１】
そして、図２のグループリストのテーブル値に従って制御部１０４は文字記号生成部１０５を制御して図５の（ａ）に示す画面を生成する。
【００４２】
この時点では制御部１０３はまだ通信部１０１は画面データを受信しないように制御する、もしくは受信した画面データを画面データ処理部（１０２）には転送しないようにする。
【００４３】
従って切換部１０６は、文字記号生成部１０５からの入力を投影部１０７に転送して図５の（ａ）に示す画面を投影（Ｓ６）する。
【００４４】
そして投影画面を見たユーザーが操作部１０８から、本プロジェクタのＳＳＩＤを、スペード、ハート、ダイヤ、クローバ、の４種のなかのどれにするかの設定を入力するのを待つ（Ｓ７）。入力操作は、図５の（ａ）〜（ｂ）のごとく、いずれが選択されているかを反転表示しておき、操作部１０８の図示していないカーソルキーを操作することで選択を変更するようにし、操作部１０８の図示していない決定キーの押下げで決定する。
【００４５】
ユーザーは、本プロジェクタを単体で使用する場合は、新規グループのスペードを選択する。
【００４６】
本プロジェクタを新しいグループのマスタつまりＡＰとして設定する場合は、新規グループのスペードかダイヤを選択する。
【００４７】
本プロジェクタをすでにマスタつまりＡＰが存在するグループのハート、もしくはクローバにスレーブつまりＳＴＡとして接続する場合は、ハートもしくはクローバを選択する。
【００４８】
ダイヤのグループ「Ｃａｎｏｎ＿Ｄｉｓｐｌａｙ＿Ｄｉａ」のチェンネルは使用中なので、表示が薄く表示されていて、選択できなくしてある。
【００４９】
そしてユーザーの選択したＳＳＩＤのグループが新規グループか否かを判定し（Ｓ８）、新規グループを選択した場合は、さらにステルスモードで動作するかどうかをユーザーに選択させて判定する（Ｓ９）。
【００５０】
ステルスモードを選択した場合には、選択したｃｈのＳＳＩＤのビーコンは送信せずに、本プロジェクタを選択したｃｈとＳＳＩＤのＡＰとして動作設定する（Ｓ１１）。
【００５１】
ステルスモードを選択しなかった場合には、選択したｃｈのＳＳＩＤのビーコンを送信するとともに、本プロジェクタを選択したｃｈとＳＳＩＤのＡＰとして動作設定する（Ｓ１１）。
【００５２】
ＡＰとしての動作設定とは、該当ｃｈに対するプローブ要求があれば応答し、さらにＩＥＥＥ８０２．１１ｂのプロトコルに従ったアクセスポイント側の認証およびアソシエーションの処理を行う。
【００５３】
ＡＰとしての設定が完了したら、制御部１０３は文字記号生成部１０５を制御して、上記で選択したＳＳＩＤの該当マークである、スペード、ハート、ダイヤ、クローバ、のいずれかの識別記号を表す画面を生成し、切換部１０６を経由して投影部１０７から外部のスクリーンに投影表示する（Ｓ１２）。
【００５４】
そして、ユーザーが操作部１０８からグループ設定の操作入力をしたかどうかを判定し（Ｓ１３）、操作入力をした時には前述の処理Ｓ１に戻って処理Ｓ１以降の処理を繰り返す。
【００５５】
操作入力をしない時は、さらに通信部１０１が画面データを受信したかどうかを判定し（Ｓ１４）、画面データを受信していないなら、処理Ｓ１２に戻って判定処理Ｓ１３以降を繰り返す。
【００５６】
判定処理（Ｓ１４）において画面データを受信したと判定した時には、自らを中継器として、受信した画面データを該当ｃｈの該当ＳＳＩＤの全てのＳＴＡけにブロードキャスト送信（Ｓ１５）するとともに、さらに自機の画面データ処理部１０２にも転送し、切換部１０６を経由して投影部１０７から外部スクリーンに投影表示（Ｓ１６）する。
【００５７】
受信した画面データの表示は、通信部１０１が画面データを受信しなくなるまで処理Ｓ１４〜Ｓ１６を繰返し、画面データを受信しなくなったら切換部１０６を切り換えて文字記号生成部１０５で構成した識別記号の画像を外部スクリーンに投影表示（Ｓ１２）する。
【００５８】
また前述の判定処理Ｓ８で、すでにＡＰが動作中のＳＳＩＤにたいしてグループ参加することを選択した場合には、本プロジェクタは選択したｃｈとＳＳＩＤのＳＴＡとして動作設定する（Ｓ２０）。
【００５９】
ＳＴＡとして動作する本プロジェクタは、ＡＰとなるプロジェクタにＩＥＥＥ８０２．１１ｂのプロトコルに従ったＳＴＡ側の認証およびアソシエーションの処理を行う（Ｓ２０）。
【００６０】
そしてＡＰとの接続設定が完了したら、制御部１０３は文字記号生成部１０５を制御して、上記で選択したＳＳＩＤの該当マークである、スペード、ハート、ダイヤ、クローバ、のいずれかの識別記号を表す画面を生成し、切換部１０６を経由して投影部１０７から外部のスクリーンに投影表示する（Ｓ２１）。
【００６１】
そして、ユーザーが操作部１０８からグループ設定の操作入力をしたかどうかを判定し（Ｓ２２）、操作入力をした時には前述の処理Ｓ１に戻って処理Ｓ１以降の処理を繰り返す。
【００６２】
操作入力をしない時は、さらに通信部１０１が画面データを受信したかどうかを判定し（Ｓ２３）、画面データを受信していないなら、処理Ｓ２１に戻って判定処理Ｓ２２以降を繰り返す。
【００６３】
判定処理（Ｓ２３）において画面データを受信したと判定した時には、受信した画面データを画面データ処理部１０２に転送し、切換部１０６を経由して投影部１０７から外部スクリーンに投影表示（Ｓ１６）する。
【００６４】
受信した画面データの表示は、通信部１０１が画面データを受信しなくなるまで処理Ｓ２３、Ｓ２４を繰返し、画面データを受信しなくなったら切換部１０６を切り換えて文字記号生成部１０５で構成した識別記号の画像を外部スクリーンに投影表示（Ｓ２１）する。
【００６５】
図７に本発明による上記設定の状態を模式図で示す。
【００６６】
図７において、７０１〜７０３は本発明による無線ＬＡＮ機能内蔵のプロジェクタ、７０４は一般の無線ＬＡＮアクセスポイント、７０５〜７０７は各プロジェクタが投影している各表示画面、である。
【００６７】
プロジェクタ７０２はハードマークで指定されるＳＳＩＤでｃｈ６を使用するＡＰとして画面データの受信待ち状態になっていて、ハートマークの識別記号を投影表示している。また、プロジェクタ７０３はスペードマークで指定されるＳＳＩＤでｃｈ１４を使用するＡＰとして画面データの表示待ちとなっていて、スペードメークの識別記号を投影表示している。通常のアクセスポイント７０４はｃｈ１１を使用するアクセスポイントとして動作している。
【００６８】
この環境でプロジェクタ７０１の電源を入れると、プロジェクタ７０１はｃｈ１は空き、ｃｈ６はプロジェクタ７０２のグループ待ち、ｃｈ１１は他のアクセスポイントで使用中、ｃｈ１４はプロジェクタ７０３のグループ待ち、判定し、７０５に示すようにグループリストを表示する。
【００６９】
（第２の実施形態）
第１の実施例では無線通信手段としてＩＥＥＥ８０２．１１ｂの場合で説明したが、ＩＥＥＥ８０２．１１ｇであってもよいし、もちろんＩＥＥＥ８０２．１１ａやその他の無線通信手段であってもよい。
【００７０】
またさらに、画像表示手段は投影型のプロジェクタだけでなく、リヤプロジェクタや液晶モニタ、プラズマディスプレイ、といった表示装置であってもよく、もちろんＣＲＴであってもよい。
【００７１】
また、視覚情報として第１の実施例では、スペード、ハート、ダイヤ、クローバ、といった形も用いたが、動物やキャラクターでもよく、簡単な文字や数字を記号化したものであってもよいし、もちろん一般になじみのある文字、たとえば動物の名前や花の名前などでもよい。
【図面の簡単な説明】
【００７２】
【図１】本発明による無線ＬＡＮプロジェクタの構成を示した図
【図２】４つのＳＳＩＤとＳＳＩＤに関連づけたグループリストのデータテーブル
【図３】ＩＥＥＥ８０２．１１ｂ規格に従った無線ＬＡＮのセル構成を示した図
【図４】本発明によるプロジェクタの初期設定のフローを示した図
【図５】本発明による設定の表示画面を表した図
【図６】ＩＥＥＥ８０２．１１ｂの無線周波数チャンネルを示した図
【図７】本発明による設定状態を模式的に表した図
【符号の説明】
【００７３】
１０１  通信手段であるところの通信部
１０２  画像生成手段であるところの画面データ処理部
１０４  記憶手段であるところのメモリ
１０５  表示情報生成手段であるところの文字記号生成部
１０６、１０７  表示手段であるところの切換部と投影部
２０１  識別情報であるところのＳＳＩＤ
【図１】
2006285139.tif 000003
【図２】
2006285139.tif 000004
【図３】
2006285139.tif 000005
【図４】
2006285139.tif 000006
【図５】
2006285139.tif 000007
【図６】
2006285139.tif 000008
【図７】
2006285139.tif 000009